(57)【要約】【課題】１つの装置でゴルフクラブの重量とスイングウエイトおよび固有振動数を測定することが可能なゴルフクラブ特性測定装置を提供する。【解決手段】作用板２に、クラブ支持部４と、グリップ支持部５を配置し、作用板の基準位置を第１ロードセルを内蔵した第１保持台８で軸支し、作用板の端部を第２ロードセルを内蔵した第２保持台に載置する。動的ひずみ計を内蔵し、グリップをクランプするクランパー６を基台に配置する。第１ロードセルと第２ロードセルの出力信号によりゴルフクラブの重量とスイングウエイトを計測する。クランパーでグリップ部をクランプし、ゴルフクラブに振動を与えることにより動的ひずみ計の出力信号によりゴルフクラブの固有振動数を計測する。【選択図】  図１
2004325145.tif 000002
【特許請求の範囲】
【請求項１】
作用板に、水平に配置されたゴルフクラブを下から支持するクラブ支持部と、ゴルフクラブのグリップの端部を上方から抑えるグリップ支持部が設置され、該作用板は、ロードセルを内蔵した保持台を介して基台上に配置され、かつ作用板の基準位置において支点部材により支持されるとともに該支点部材は作用板の支持を解除可能であり、
ゴルフクラブが該クラブ支持部とグリップ支持部で保持され、該ロードセルの出力信号により、支点部材が作用板の支持を解除した状態でゴルフクラブの重量が計測され、支点部材が作用板の基準位置を支持した状態でスイングウエイトが計測されることを特徴とするゴルフクラブ測定装置。
【発明の詳細な説明】
【０００１】
【発明の属する技術分野】
本発明は、ゴルフクラブの重量とスイングウエイトを測定することが可能な装置に関するものである。
【０００２】
【従来の技術】
ゴルフクラブはシャフトの先端部にヘッドを取り付けるとともに基部にグリップを取り付けてなるが、ゴルフクラブの特性としては、その重量、およびグリップを握ったときに手首などに感じるクラブの重さ（スイングウエイト）などが基本的なものである。
【０００３】
スイングウエイトは、前記のとおり、グリップを握ったときに手首などに感じるクラブの重さを表すものであり、５インチ測定法、１２インチ測定法、１４インチ測定法などが行われている。例えば１４インチ測定法で測定するときは、クラブのグリップ端から１４インチの位置を支点としてクラブを保持し、グリップ端にクラブがバランスする力Ｆを加えたとき、スイングウエイトＫは１４×Ｆで求めることができる。
そして、Ｋの値を軽い方からＡ〜Ｆに大分類し、各大分類をさらに細かく０〜９に１０分類し、グリップを握ったときに手首などに感じるクラブの重さを例えばＤ５のように表示している。そして、ユーザはこの表示に基づいて自分のパワーに応じて最適のスイングウエイトのクラブを選らべるようになっている。
【０００４】
【発明が解決しようとする課題】
このように、これらの特性値はゴルフクラブを設計する上で重要なファクターとなるので、これらの特性を測定する装置がいろいろと提案され、また実用化されている。そして、ゴルフクラブの重量とスイングウエイトは、基本的には重量を計量することにより求められるので、通常は１つの測定装置で両者を測定できることが多い。しかし、１つの測定装置で両者を測定可能にするためには、測定装置内にロードセルなどの重量計を２台設置する必要があり、また、精度の高いロードセルは高価なこともあって、構造が複雑でコストが高くなる不具合いがあった。
【０００５】
そこで本発明は、構造が簡単であって、１つのロードセルを内蔵するのみでゴルフクラブの重量とスイングウエイトを測定することが可能なゴルフクラブ特性測定装置を提供することを目的とする。
【０００６】
【課題を解決するための手段】
かかる目的を達成するために、本発明のゴルフクラブ特性測定装置は、作用板に、水平に配置されたゴルフクラブを下から支持するクラブ支持部と、ゴルフクラブのグリップの端部を上方から抑えるグリップ支持部を設置し、この作用板をロードセルを内蔵した保持台を介して基台上に配置し、かつ作用板の基準位置において支点部材により支持するとともに、この支点部材の作用板の支持を解除可能とし、ゴルフクラブをクラブ支持部とグリップ支持部で保持し、ロードセルの出力信号により、支点部材が作用板の支持を解除した状態でゴルフクラブの重量を計測し、支点部材が作用板の基準位置を支持した状態でスイングウエイトを計測するようにする。
【０００７】
【発明の実施の形態】
以下に、図面に基づいて本発明の実施の形態を具体的に説明する。図１は重量を測定している状態を示し、図２はスイングウエイトを測定している状態を示す。図１および図２において、基板１上に配置された作用板２には、クラブＧＣのシャフトＳを支持するクラブ支持部４およびグリップＧの端部を抑える抑え部５１を有するグリップ支持部５が設置されている。クラブ支持部４の位置はクラブＧＣの重心位置よりもグリップＧ側である。
【０００８】
作用板２の端部は基台１に配置された保持台８の軸８１に固定されており、保持台８にはロードセル（図示せず）が内蔵されている。そして、作用板２は基準位置において支点部材６が軸６１により固定されている。スイングウエイトを１４インチ測定法で測定するときは、支点部材６の位置は、グリップＧの端部の直下より１４インチ（約３５６ｍｍ）の距離である。なお、作用板２の重心位置は支点部材６よりもグリップＧ側、つまり図面において支点部材６よりも左側である。
【０００９】
支点部材６の下にはカム部材７が配置されており、図１に示すように、カム部材７が支点部材６の下端から離間している状態からレバー７１を回動し、図２に示すように、カム部材７が支点部材６の下端に当接させることができる。つまり、カム部材７が支点部材６の下端に当接することにより、作用板２は支点部材６で支持され、カム部材７を支点部材６の下端から離間させることにより、作用板２の支点部材６による支持が解除されるようになっている。
なお、作用板２の支点部材６による支持を解除する機構はカム部材７に限られるものではなく、種々の機構を採用することができる。
【００１０】
従って、図１に示すように、支点部材６の支持を解除すると、作用板２および作用板２に荷重がかかる物体のトータルの重量は保持台８に内蔵されたロードセルにより計測される。
基台１上には制御ボックス３が配置されており、ロードセルの出力信号により各特性値を演算するが、計測された特性値は制御ボックス３の表示器３１に表示される。
【００１１】
しかして、クラブＧＣの重量を測定するときは、図１に示すように、カム部材７を支点部材６の下端から離間させ、支点部材６による支持を解除した状態にしてクラブＧＣをクラブ支持部４とグリップ支持部５で保持する。これにより、作用板２を介して保持台８のロードセルにかかる荷重がクラブＧＣの重量だけ増加するので、その増加分からクラブＧＣの重量を求めることができる。
【００１２】
次に、スイングウエイトを測定するときは、レーバー７１を回動させ、図２に示すように、カム部材７を支点部材６の下端に当接させ、作用板２を支点部材６で支持する。このとき、支点部材６より図面における左側のモーメントは、クラブＧＣのモーメント（抑え部５１が受ける反力とグリップＧの端部から軸６１までの距離の積）、すなわちクラブＧＣのスイングウエイトと、重心位置が支点部材６より左側に位置する作用板２のモーメントの差であり、支点部材６より右側のモーメントは、軸６１と軸８１間の距離と保持台８のロードセルで計測される重量の積であり、この支点部材６の左右のモーメントが等しい関係にある。そして、作用板２のモーメントおよび軸６１と軸８１間の距離は一定であるので、保持台８のロードセルで計測される重量よりクラブＧＣのスイングウエイトを求めることができる。実際には、事前にスイングウエイトが既知のクラブを数十本準備し、ロードセルで計測した重力とスイングウエイトの関係式を求めておくと、容易にスイングウエイトを求めることができる。
【００１３】
このように、クラブＧＣの重量は支点部材６による作用板２の支持を解除した状態でロードセルで計測される重量から求めることができ、クラブＧＣのスイングウエイトは支点部材６で作用板２を支持した状態で保持台８のロードセルで計測される重量から求めることができる。つまり、１個のロードセルでクラブＧＣの重量とスイングウエイトの両方を測定することができる。
【００１４】
【発明の効果】
以上説明したように、本発明のゴルフクラブ測定装置は、作用板に、水平に配置されたゴルフクラブを下から支持するクラブ支持部と、ゴルフクラブのグリップの端部を上方から抑えるグリップ支持部を設置し、この作用板をロードセルを内蔵した保持台を介して基台上に配置し、かつ作用板の基準位置において支点部材により支持するとともに、この支点部材の作用板の支持を解除可能とし、ゴルフクラブをクラブ支持部とグリップ支持部で保持し、ロードセルの出力信号により、支点部材が作用板の支持を解除した状態でゴルフクラブの重量を計測し、支点部材が作用板の基準位置を支持した状態でスイングウエイトを計測するので、構造が簡単であって、１つのロードセルを内蔵するのみでゴルフクラブの重量とスイングウエイトを測定することが可能なゴルフクラブ特性測定装置とすることができる。
【図面の簡単な説明】
【図１】重量を測定している状態を示す説明図である。
【図２】スイングウエイトを測定している状態を示す説明図である。
【符号の説明】
１    基台
２    作用板
３    制御ボックス
３１    表示器
４    クラブ支持部
５    グリップ支持部
５１    抑え部
６    支点部材
６１    軸
７    カム部材
７１    レバー
８    保持台
８１    軸
【図１】
2004325145.tif 000003
【図２】
2004325145.tif 000004